(57)【要約】      （修正有）【課題】握り力及び体力が不足しているユーザが座り姿勢から立ち姿勢に変換したいときに、容易に立ち上がることが可能な松葉杖を提供する。【解決手段】一端から主ハンドルが延びているロッド１と、ロッドに嵌め設けられ固定されている支持台２と、一端が支持台に枢着されており、第１位置と第２位置の間に枢着具２４を軸にして旋回可能であり、第１位置にあるときには、上方に延びるようにロッドに平行し、第２位置にあるときには、ロッドに垂直する補助ハンドル３と、支持台と補助ハンドルの間に設けられ、その弾力により、補助ハンドルが付勢されて第１位置に移動する傾向がある弾性具２５と、を含む松葉杖において、補助ハンドルの支持台に枢着されている一端の下方から、延び部３２が延びており、補助ハンドルが第２位置にあるときには、延び部が押付パッド３３を介してロッドに押付けられて保持される。【選択図】図２
0003195474.tif 000002
【実用新案登録請求の範囲】
【請求項１】
その一端から主ハンドルが延びているロッドと、
前記ロッドに嵌め設けられており、前記ロッドに固定されている支持台と、
その一端が前記支持台に枢着されており、第１位置と第２位置の間に旋回可能であり、前記第１位置に位置しているときには、上方に延びるように前記ロッドに平行し、前記第２位置に位置しているときには、前記ロッドに垂直する補助ハンドルと、
前記支持台と前記補助ハンドルの間に設けられており、その弾力により、前記補助ハンドルが付勢されて前記第１位置に移動する傾向がある弾性具と、
を含む松葉杖において、
前記補助ハンドルの前記支持台に枢着されている一端の下方から、延び部が延びており、前記補助ハンドルが前記第２位置に位置しているときには、前記延び部が前記ロッドに押付けることを特徴とする松葉杖。
【請求項２】
更に、固定具を含み、前記支持台の外壁に穿孔が設けられており、前記ロッドの予定位置に貫通孔が設けられており、前記固定具は、前記穿孔と前記貫通孔を挿通して、前記支持台を前記ロッドに固定することを特徴とする、請求項１に記載の松葉杖。
【請求項３】
前記補助ハンドルの一端は二つの翼片の間に位置し、前記各翼片に穴がそれぞれ設けられており、前記補助ハンドルに枢着穴が設けられており、枢着具は、前記二つの穴と前記枢着穴を挿通することにより、前記補助ハンドルが前記支持台に枢着されていることを特徴とする、請求項１に記載の松葉杖。
【請求項４】
前記延び部の末端は押付パッドを含み、前記補助ハンドルが前記第２位置に位置しているときには、前記押付パッドが前記ロッドに押付けることを特徴とする、請求項１に記載の松葉杖。
【請求項５】
前記押付パッドはゴムで作製されることを特徴とする、請求項４に記載の松葉杖。
【請求項６】
前記押付パッドは円弧状の凹みを有し、前記凹みの輪郭は前記ロッドの輪郭に合うことを特徴とする、請求項４に記載の松葉杖。
【考案の詳細な説明】
【技術分野】
【０００１】
本考案は、松葉杖に関するものである。
【背景技術】
【０００２】
従来の松葉杖は、床面に押付ける支持部と、上部に位置するハンドル部と、を有することが一般的である。松葉杖がユーザの走行の補助器具とされるため、ハンドル部の高さは、立ち上がっているユーザの手の位置する高さとほぼ同じである。
【０００３】
しかし、ユーザが座り姿勢から立ち姿勢に変換したいときに、ハンドル部を支持点としたい場合には、ハンドル部の高さが高すぎるため、ユーザは、直線状のロッドを握って、立ち姿勢に変換することが一般的である。握り力及び体力が不足であるお年寄りや患者にとって、握り力による摩擦力によって体重を支持することが難しいため、座り姿勢から立ち姿勢に変換しているときに倒れ、又は座り姿勢から立ち姿勢に変換することができないことがよくある。
【考案の概要】
【考案が解決しようとする課題】
【０００４】
本考案の主な目的は、ユーザが座り姿勢から立ち姿勢に変換したいときに、ユーザを良く支持することが可能な松葉杖を提供することにある。
【課題を解決するための手段】
【０００５】
本考案の松葉杖によると、その一端から主ハンドルが延びているロッドと、
ロッドに嵌め設けられており、ロッドに固定されている支持台と、
その一端が支持台に枢着されており、第１位置と第２位置の間に旋回可能であり、第１位置に位置しているときには、上方に延びるようにロッドに平行し、第２位置に位置しているときには、ロッドに垂直する補助ハンドルと、
支持台と補助ハンドルの間に設けられており、その弾力により、補助ハンドルが付勢されて第１位置に移動する傾向がある弾性具と、
を含む松葉杖において、
補助ハンドルの支持台に枢着されている一端の下方から、延び部が延びており、補助ハンドルが第２位置に位置しているときには、延び部がロッドに押付けることを特徴とする。
【０００６】
本考案の松葉杖によると、更に、固定具を含み、支持台の外壁に穿孔が設けられており、ロッドの予定位置に貫通孔が設けられており、固定具は、穿孔と貫通孔を挿通して、支持台をロッドに固定することを特徴とする。
【０００７】
本考案の松葉杖によると、補助ハンドルの一端は二つの翼片の間に位置し、各翼片に穴がそれぞれ設けられており、補助ハンドルに枢着穴が設けられており、枢着具は、二つの穴と枢着穴を挿通することにより、補助ハンドルが支持台に枢着されていることを特徴とする。
【０００８】
本考案の松葉杖によると、延び部の末端は押付パッドを含み、補助ハンドルが第２位置に位置しているときには、押付パッドがロッドに押付けることを特徴とする。
【０００９】
本考案の松葉杖によると、押付パッドはゴムで作製されることを特徴とする。
【００１０】
本考案の松葉杖によると、押付パッドは円弧状の凹みを有し、凹みの輪郭はロッドの輪郭に合うことを特徴とする。
【考案の効果】
【００１１】
本考案の松葉杖によれば、ユーザが座り姿勢から立ち姿勢に変換したいときに、主ハンドルの代わりに、ユーザが補助ハンドルに力を加えて立ち上がることが可能であり、ユーザが立ち上がった後、補助ハンドルが自動的に旋回してロッドに寄ることが可能であるという効果を有する。
【図面の簡単な説明】
【００１２】
【図１】本考案の一実施例の組合済み状態を示す斜視図である。
【図２】本考案の一実施例を示す分解斜視図である。本考案の補助ハンドルを別の視点から見た斜視図を含む。
【図３】本考案の補助ハンドルが第１位置に位置しているときの断面図である。
【図４】本考案の補助ハンドルが第２位置に位置しているときの断面図である。
【考案を実施するための形態】
【００１３】
以下、本考案の実施の形態を図面に基づいて説明する。
まず、図１から図４を参照する。本考案に係る松葉杖は、ロッド１と、支持台２と、補助ハンドル３と、を含む。
【００１４】
ロッド１は、その一端から主ハンドル１１が延びている。本実施例では、主ハンドル１１は、ロッド１に平行せず、ユーザの手の押さえによる下方への力を受けることが可能である。ロッド１の主ハンドル１１が設けられている端から遠ざかった端には、床面に押付けて松葉杖を支持する脚部が設けられている。
【００１５】
支持台２は、ロッド１に嵌め設けられており、ロッド１の予定位置に固定されている。本実施例の支持台２は、中空であり、嵌め空間２１を有する。支持台２の外壁には、嵌め空間２１と連通する穿孔２２が設けられている。ロッド１の予定位置に貫通孔１２が設けられている。固定具４は、穿孔２２と貫通孔１２を挿通して、支持台２をロッド１に固定する。固定具４は螺子であることが好ましい。
【００１６】
補助ハンドル３は、その一端が支持台２に枢着されており、ロッド１に対して第１位置と第２位置の間に旋回することが可能である。補助ハンドル３が前記第１位置に位置しているときには、補助ハンドル３が上方に延びるようにロッドに平行する。補助ハンドル３が前記第２位置に位置しているときには、補助ハンドル３がロッドに垂直する。本実施例では、支持台２から、互いにほぼ平行する二つの翼片２３が延びている。補助ハンドル３の一端は二つの翼片２３の間に位置する。各翼片２３に穴２３１がそれぞれ設けられている。補助ハンドル３に枢着穴３１が設けられている。枢着具２４は、二つの穴２３１と枢着穴３１を挿通することにより、補助ハンドル３が支持台２に枢着されている。補助ハンドル３は、更に、弾性具２５を含む。弾性具２５は、支持台２と補助ハンドル３の間に設けられており、その弾力により、補助ハンドル３が付勢されて前記第１位置に移動する傾向がある。
【００１７】
上記の構成により、本考案に係る松葉杖の補助ハンドル３は、常時に前記第１位置に位置するため、ユーザの走行時の邪魔にならない。なお、ユーザが座り姿勢から立ち姿勢に変換したいときには、一つの手でロッド１を握って、残りの手で補助ハンドル３を前記第１位置から前記第２位置に引くと、補助ハンドル３がロッド１にほぼ垂直する。このように、ユーザが補助ハンドル３を支持点として力を加えて、座り姿勢から立ち姿勢に変換することが可能である。この後、補助ハンドル３を放すと、補助ハンドル３が前記第１位置に自動的に戻す。
【００１８】
補助ハンドル３の支持台２と連接する端を第１端と定義し、前記第１端から遠ざかった端を第２端と定義する場合には、前記第１端と前記第２端が補助ハンドル３の長さ方向の両端にそれぞれ位置する。補助ハンドル３の前記第１端の下方には、更に、前記第２端の反対方向に延びる延び部３２が形成されている。このように、補助ハンドル３はほぼＬ字形を呈する。延び部３２の末端には、更に、押付パッド３３が設けられている。補助ハンドル３が前記第２位置に位置しているときに、押付パッド３３は、ロッド１に押付けて、二つの翼片２３の下方に位置する。押付パッド３３は、ゴムで作製され、円弧状の凹みを有し、前記凹みの輪郭がロッド１の輪郭に合うことが好ましい。このように、押付パッド３３はロッド１に緊密に合うように押付けることが可能である。
【００１９】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２０】
本考案は、松葉杖に適用することができる。
【符号の説明】
【００２１】
１    ロッド
２    支持台
３    補助ハンドル
４    固定具
１１    主ハンドル
１２    貫通孔
２１    嵌め空間
２２    穿孔
２３    翼片
２４    枢着具
２５    弾性具
３１    枢着穴
３２    延び部
３３    押付パッド
２３１    穴
【図１】
0003195474.tif 000003
【図２】
0003195474.tif 000004
【図３】
0003195474.tif 000005
【図４】
0003195474.tif 000006